(57)【要約】【課題】切換型の接点装置を用いる場合においても操作ハンドルの表示位置と操作方向とを一致させて操作性を向上する。【解決手段】操作ハンドル６０の後方へ移動した端部においては、操作ハンドル６０の揺動支点に対して当該端部側に設けられている一方の遮光部２７に遮光体８４の端部がオーバラップして位置表示灯７１とプリズム９０の集光部９２との間の光路を遮光する。また前方へ移動した端部においては、操作ハンドル６０の揺動支点に対して当該端部側に設けられている他方の遮光部２７に遮光体８４の端部がオーバラップせず、位置表示灯７１とプリズム９０の集光部９２との間の光路を遮光しない。故に、次に操作される側の操作ハンドル６０の端部に設けられている表示部９１の表示面のみから位置表示灯７１の光が出射されるため、操作ハンドル６０の表示位置と操作方向とを完全に一致させることができる。【選択図】        図１
2006202716.tif 000002
【特許請求の範囲】
【請求項１】
切換型の接点装置が器体に収納されたスイッチ本体と、スイッチ本体に設けられ接点装置の切換接点間に生じる電圧で発光する発光源と、少なくとも短幅方向の寸法がスイッチ本体の前面と略同一若しくは大型であって略中央を支点としてスイッチ本体の前面側に揺動自在に配設された操作ハンドルと、操作ハンドルの揺動する両端部に設けられて発光源の光を表示面を通して外部へ出射する２つの表示部およびスイッチ本体と操作ハンドルとの間で発光源の光を２つの表示部の表示面へそれぞれ導光する集光部を有するプリズムとを備えたことを特徴とする表示付きスイッチ。
【請求項２】
切換型の接点装置が器体に収納されたスイッチ本体と、スイッチ本体に設けられ接点装置の切換接点間に生じる電圧で発光する発光源と、少なくとも短幅方向の寸法がスイッチ本体の前面と略同一若しくは大型であって略中央を支点としてスイッチ本体の前面側に揺動自在に配設された操作ハンドルと、操作ハンドルの揺動する一方の端部に設けられて発光源の光を表示面を通して外部へ出射する第１の表示部およびスイッチ本体と操作ハンドルとの間で発光源の光を第１の表示部の表示面へ導光する第１の集光部を有する第１のプリズムと、操作ハンドルの揺動する他方の端部に設けられて発光源の光を表示面を通して外部へ出射する第２の表示部およびスイッチ本体と操作ハンドルとの間で発光源の光を第２の表示部の表示面へ導光する第２の集光部を有する第２のプリズムとを備えたことを特徴とする表示付きスイッチ。
【請求項３】
器体に揺動自在に枢支されるとともに操作ハンドルの操作に連動して接点装置を切り換える反転ハンドルと、発光源とプリズムの集光部若しくは第１のプリズムの第１の集光部及び第２のプリズムの第２の集光部との間の光路上において操作ハンドルの揺動支点を挟んで対向する位置にそれぞれ設けられた２つの遮光部と、反転ハンドルと一体に揺動し２つの遮光部に対してスイッチ本体の前後方向に対向配置されるとともに操作ハンドルの操作位置に応じて何れか一方の遮光部と択一的に当接又はオーバラップして発光源とプリズムの集光部若しくは第１のプリズムの第１の集光部及び第２のプリズムの第２の集光部との間の光路を遮光する遮光体とを備えたことを特徴とする請求項１又は２記載の表示付きスイッチ。
【請求項４】
プリズム若しくは第１及び第２のプリズムは、前面側に操作ハンドルを取り付ける取付部が設けられるとともに背面側に反転ハンドルと結合する結合部が設けられることを特徴とする請求項３記載の表示付きスイッチ。
【請求項５】
反転ハンドルの前面側に発光源が露設され、遮光体は、発光源を前方から覆う傘状に形成されることを特徴とする請求項３記載の表示付きスイッチ。
【請求項６】
遮光体は、反転ハンドルの揺動方向に沿って回動自在に設けられることを特徴とする請求項５記載の表示付きスイッチ。
【請求項７】
スイッチ本体は、造営面の表面側に固定されるプレート枠に着脱自在に取り付けるための取付手段を有しプレート枠に取り付けられた状態で造営面に設けられた埋込孔に後端部を埋め込む形で埋込配設され、且つプレート枠に対して短幅方向に最大３個並べて取り付けられる寸法に形成されており、操作ハンドルは、プレート枠に対するスイッチ本体の並び方向においてスイッチ本体の短幅方向の幅寸法よりも大きい寸法に形成されたことを特徴とする請求項３又は４記載の表示付きスイッチ。
【請求項８】
表示部若しくは第１及び第２の表示部は、操作ハンドルの端部と略同一寸法に形成されたことを特徴とする請求項１〜７の何れかに記載の表示付きスイッチ。
【請求項９】
表示部若しくは第１及び第２の表示部が光を拡散させることを特徴とする請求項１〜８の何れかに記載の表示付きスイッチ。
【請求項１０】
光沢を持った金属製であって遮光体および発光源の周囲を囲んで発光源を保護する保護部を有するランプカバーを備えたことを特徴とする請求項１〜９の何れかに記載の表示付きスイッチ。
【請求項１１】
絶縁性を有する合成樹脂成型品からなり遮光体および発光源の周囲を囲んで発光源を保護する保護部を有するランプカバーと、発光源と対向する遮光体並びに保護部の内面に貼着されて発光源の光を反射する反射シートとを備えたことを特徴とする請求項１〜９の何れかに記載の表示付きスイッチ。
【請求項１２】
絶縁性を有する合成樹脂成型品からなり遮光体および発光源の周囲を囲んで発光源を保護する保護部を有するランプカバーと、発光源と対向する遮光体並びに保護部の内面に反射率が高いコーティング材料をコーティングして形成される反射層とを備えたことを特徴とする請求項１〜９の何れかに記載の表示付きスイッチ。
【請求項１３】
請求項３又は４の表示付きスイッチと、スイッチ本体を着脱自在に取り付ける取付手段を有し造営面に設けられた埋込孔にスイッチ本体の後端部を埋め込む形で造営面の表面側に固定されるプレート枠と、操作ハンドルを露出させた状態でプレート枠の前面を覆う化粧プレートとからなるスイッチ装置において、スイッチ本体は、プレート枠に対して短幅方向に最大３個並べて取り付けられる寸法に形成され、操作ハンドルは、プレート枠に対するスイッチ本体の並び方向においてスイッチ本体の短幅方向の幅寸法よりも大きい寸法に形成され、操作ハンドル又はプリズム若しくは第１及び第２のプリズムは、反転ハンドルと択一的に結合する３つの結合部がスイッチ本体の短幅方向に沿って列設され、３つの結合部のうちで反転ハンドルに結合していない結合部と対向するプレート枠表面の部位に当該結合部を逃がす逃がし手段が設けられたことを特徴とするスイッチ装置。
【請求項１４】
プレート枠との間で造営材を狭持する挟み金具を備え、挟み金具を取り付けるためにプレート枠に設けられた孔を前記逃がし手段としたことを特徴とする請求項１３記載のスイッチ装置。
【発明の詳細な説明】
【技術分野】
【０００１】
本発明は、操作部分の位置を表示する機能を有した表示付きスイッチ並びに表示付きスイッチとプレートからなるスイッチ装置に関するものである。
【背景技術】
【０００２】
従来、電路の電圧で点灯することにより操作部分の位置を表示する表示部を備えたスイッチ（表示付きスイッチ）が提供されている。図２２は特許文献１に開示されている表示付きスイッチ２００の正面図である。この表示付きスイッチ２００は、接点装置並びに発光源（例えば、ネオンランプ）が収納された器体２０１と、器体２０１に揺動自在に枢支された形で装着され接点装置を開閉する反転ハンドルと、反転ハンドルの前面を覆い反転ハンドルに結合される平面視矩形状の操作ハンドル２０２とを備え、操作ハンドル２０２を相反する２方向へ操作することにより反転ハンドルを介して接点装置を開閉するスイッチ（タンブラスイッチ）であって、操作ハンドル２０２を器体２０１前面よりも大きくすることで操作性を向上したスイッチ（この種のスイッチは、一般に「ワイドハンドル形スイッチ」と呼ばれる。）として構成されている。操作ハンドル２０２前面における左右両端部の一方（図示例では右側端部）には発光源の発する光を前方へ照射することで操作ハンドル２０２の操作部位を表示する表示部２０３が設けられており、電源から負荷への給電が行われていないときに器体２０１に収納されている発光源が発光して表示部２０３による表示が行われる。
【特許文献１】特開２００３−１５１４０２号公報
【発明の開示】
【発明が解決しようとする課題】
【０００３】
ところで、上記従来例において、接点装置が単極単投若しくは２極単投型の接点構成を有する単極スイッチ又は２極スイッチとして構成されている場合、負荷の動作状態と操作ハンドル２０２の操作状態とが一義的に決まるから、表示部２０３による表示が行われている側で操作ハンドル２０２の端部を押操作すれば負荷の動作状態を切り換えることができ、表示部２０３による表示と操作ハンドル２０２の操作方向とを常に一致させることが可能である。しかしながら、接点装置が切換型（単極切換型若しくは２極切換型）の接点構成を有する３路スイッチ又は４路スイッチとして構成されている場合では、負荷の動作状態と操作ハンドル２０２の操作状態とが一義的に決まらないから、表示部２０３による表示と操作ハンドル２０２の操作方向とが一致しない状況が生じる。特に、ワイドハンドル形スイッチの場合、操作ハンドル２０２を大型化しているために表示部２０３が設けられている側の端部と表示部２０３が設けられていない側の端部との距離も大きくなっているから、表示部２０３による表示と操作ハンドル２０２の操作方向とが一致しないことによって操作性が損なわれやすい。
【０００４】
本発明は上記事情に鑑みて為されたものであり、その目的は、切換型の接点装置を用いる場合においても操作ハンドルの表示位置と操作方向とを一致させて操作性を向上した表示付きスイッチ及びスイッチ装置を提供することにある。
【課題を解決するための手段】
【０００５】
請求項１の発明は、上記目的を達成するために、切換型の接点装置が器体に収納されたスイッチ本体と、スイッチ本体に設けられ接点装置の切換接点間に生じる電圧で発光する発光源と、少なくとも短幅方向の寸法がスイッチ本体の前面と略同一若しくは大型であって略中央を支点としてスイッチ本体の前面側に揺動自在に配設された操作ハンドルと、操作ハンドルの揺動する両端部に設けられて発光源の光を表示面を通して外部へ出射する２つの表示部およびスイッチ本体と操作ハンドルとの間で発光源の光を２つの表示部の表示面へそれぞれ導光する集光部を有するプリズムとを備えたことを特徴とする。
【０００６】
この発明によれば、電源から負荷への給電が停止しているときに発光源が発光し、その光は集光部に導光されて２つの表示部の表示面から外部へ出射されるから、操作ハンドルの揺動する両端部に設けられた２つの表示部で同時に表示が行われることとなり、切換型の接点装置を用いる場合においても操作ハンドルの表示位置と操作方向とを一致させて操作性が向上する。
【０００７】
請求項２の発明は、上記目的を達成するために、切換型の接点装置が器体に収納されたスイッチ本体と、スイッチ本体に設けられ接点装置の切換接点間に生じる電圧で発光する発光源と、少なくとも短幅方向の寸法がスイッチ本体の前面と略同一若しくは大型であって略中央を支点としてスイッチ本体の前面側に揺動自在に配設された操作ハンドルと、操作ハンドルの揺動する一方の端部に設けられて発光源の光を表示面を通して外部へ出射する第１の表示部およびスイッチ本体と操作ハンドルとの間で発光源の光を第１の表示部の表示面へ導光する第１の集光部を有する第１のプリズムと、操作ハンドルの揺動する他方の端部に設けられて発光源の光を表示面を通して外部へ出射する第２の表示部およびスイッチ本体と操作ハンドルとの間で発光源の光を第２の表示部の表示面へ導光する第２の集光部を有する第２のプリズムとを備えたことを特徴とする。
【０００８】
この発明によれば、電源から負荷への給電が停止しているときに発光源が発光し、その光は第１及び第２の集光部に導光されて第１及び第２の表示部の表示面から各々外部へ出射されるから、操作ハンドルの揺動する両端部に設けられた第１及び第２の表示部で同時に表示が行われることとなり、切換型の接点装置を用いる場合においても操作ハンドルの表示位置と操作方向とを一致させて操作性が向上する。
【０００９】
請求項３の発明は、請求項１又は２の発明において、器体に揺動自在に枢支されるとともに操作ハンドルの操作に連動して接点装置を切り換える反転ハンドルと、発光源とプリズムの集光部若しくは第１のプリズムの第１の集光部及び第２のプリズムの第２の集光部との間の光路上において操作ハンドルの揺動支点を挟んで対向する位置にそれぞれ設けられた２つの遮光部と、反転ハンドルと一体に揺動し２つの遮光部に対してスイッチ本体の前後方向に対向配置されるとともに操作ハンドルの操作位置に応じて何れか一方の遮光部と択一的に当接又はオーバラップして発光源とプリズムの集光部若しくは第１のプリズムの第１の集光部及び第２のプリズムの第２の集光部との間の光路を遮光する遮光体とを備えたことを特徴とする。
【００１０】
この発明によれば、操作ハンドルの両端部が操作に伴って前方から後方又は後方から前方へそれぞれ移動し、後方へ移動した端部においては、操作ハンドルの揺動支点に対して当該端部側に設けられている一方の遮光部に遮光体が当接又はオーバラップして発光源とプリズムの集光部（若しくは第１及び第２の集光部の一方）との間の光路を遮光し、前方へ移動した端部においては、操作ハンドルの揺動支点に対して当該端部側に設けられている他方の遮光部に遮光体が当接又はオーバラップせず、発光源とプリズムの集光部（若しくは第１及び第２の集光部の他方）との間の光路を遮光しないから、２つの表示部のうちで前方へ移動した端部、すなわち、次に操作される側の端部に設けられている表示部の表示面のみから発光源の光が出射されることとなり、操作ハンドルの表示位置と操作方向とを完全に一致させて操作性が一層向上する。
【００１１】
請求項４の発明は、請求項３の発明において、プリズム若しくは第１及び第２のプリズムは、前面側に操作ハンドルを取り付ける取付部が設けられるとともに背面側に反転ハンドルと結合する結合部が設けられることを特徴とする。
【００１２】
この発明によれば、プリズム若しくは第１及び第２のプリズムに操作ハンドルを取り付けた後にプリズム若しくは第１及び第２のプリズムを反転ハンドルに結合することが可能であるから組立作業が容易になる。
【００１３】
請求項５の発明は、請求項３の発明において、反転ハンドルの前面側に発光源が露設され、遮光体は、発光源を前方から覆う傘状に形成されることを特徴とする。
【００１４】
この発明によれば、発光源をプリズム若しくは第１及び第２のプリズムの近傍に配置することによって発光源の光を効率よく集光部に集めることができて表示部若しくは第１及び第２の表示部の明るさが向上する。
【００１５】
請求項６の発明は、請求項５の発明において、遮光体は、反転ハンドルの揺動方向に沿って回動自在に設けられることを特徴とする。
【００１６】
この発明によれば、遮光体が反転ハンドルに対して回動しない場合に比較して遮光体と遮光部とがオーバラップしない状態における両者間の隙間（光路）が大きくなるために表示部の明るさが増大でき、また、遮光体と遮光部とのオーバラップ量が大きくなるために表示部への光の漏れを抑えることができる。
【００１７】
請求項７の発明は、請求項３又は４の発明において、スイッチ本体は、造営面の表面側に固定されるプレート枠に着脱自在に取り付けるための取付手段を有しプレート枠に取り付けられた状態で造営面に設けられた埋込孔に後端部を埋め込む形で埋込配設され、且つプレート枠に対して短幅方向に最大３個並べて取り付けられる寸法に形成されており、操作ハンドルは、プレート枠に対するスイッチ本体の並び方向においてスイッチ本体の短幅方向の幅寸法よりも大きい寸法に形成されたことを特徴とする。
【００１８】
この発明によれば、操作ハンドルの操作性が向上する。
【００１９】
請求項８の発明は、請求項１〜７の何れかの発明において、表示部若しくは第１及び第２の表示部は、操作ハンドルの端部と略同一寸法に形成されたことを特徴とする。
【００２０】
この発明によれば、表示部が視認しやすくなる。
【００２１】
請求項９の発明は、請求項１〜８の何れかの発明において、表示部若しくは第１及び第２の表示部が光を拡散させることを特徴とする。
【００２２】
この発明によれば、光の出射範囲が拡がって表示部が視認しやすくなる。
【００２３】
請求項１０の発明は、請求項１〜９の何れかの発明において、光沢を持った金属製であって遮光体および発光源の周囲を囲んで発光源を保護する保護部を有するランプカバーを備えたことを特徴とする。
【００２４】
この発明によれば、ランプカバーが光沢を持った金属製であるため、発光源の光を遮光体や保護部の内面で反射して効率よく集光部に集めることができて表示部の明るさが向上する。
【００２５】
請求項１１の発明は、請求項１〜９の何れかの発明において、絶縁性を有する合成樹脂成型品からなり遮光体および発光源の周囲を囲んで発光源を保護する保護部を有するランプカバーと、発光源と対向する遮光体並びに保護部の内面に貼着されて発光源の光を反射する反射シートとを備えたことを特徴とする。
【００２６】
この発明によれば、反射シートにより発光源の光を反射して効率よく集光部に集めることができて表示部の明るさが向上する。しかも、ランプカバーを金属製とした場合には発光源との間を絶縁する必要があるが、そのような絶縁が不要である。
【００２７】
請求項１２の発明は、請求項１〜９の何れかの発明において、絶縁性を有する合成樹脂成型品からなり遮光体および発光源の周囲を囲んで発光源を保護する保護部を有するランプカバーと、発光源と対向する遮光体並びに保護部の内面に反射率が高いコーティング材料をコーティングして形成される反射層とを備えたことを特徴とする。
【００２８】
この発明によれば、反射層により発光源の光を反射して効率よく集光部に集めることができて表示部の明るさが向上する。しかも、ランプカバーを金属製とした場合には発光源との間を絶縁する必要があるが、そのような絶縁が不要である。
【００２９】
請求項１３の発明は、請求項３又は４の表示付きスイッチと、スイッチ本体を着脱自在に取り付ける取付手段を有し造営面に設けられた埋込孔にスイッチ本体の後端部を埋め込む形で造営面の表面側に固定されるプレート枠と、操作ハンドルを露出させた状態でプレート枠の前面を覆う化粧プレートとからなるスイッチ装置において、スイッチ本体は、プレート枠に対して短幅方向に最大３個並べて取り付けられる寸法に形成され、操作ハンドルは、プレート枠に対するスイッチ本体の並び方向においてスイッチ本体の短幅方向の幅寸法よりも大きい寸法に形成され、操作ハンドル又はプリズム若しくは第１及び第２のプリズムは、反転ハンドルと択一的に結合する３つの結合部がスイッチ本体の短幅方向に沿って列設され、３つの結合部のうちで反転ハンドルに結合していない結合部と対向するプレート枠表面の部位に当該結合部を逃がす逃がし手段が設けられたことを特徴とする。
【００３０】
この発明によれば、プレート枠に対するスイッチ本体の取付位置にかかわらず共通の操作ハンドルを用いることができて施工性が向上する。
【００３１】
請求項１４の発明は、請求項１３の発明において、プレート枠との間で造営材を狭持する挟み金具を備え、挟み金具を取り付けるためにプレート枠に設けられた孔を前記逃がし手段としたことを特徴とする。
【００３２】
この発明によれば、挟み金具用の孔を逃がし手段に兼用することによってプレート枠の製造コストの上昇を抑えることができる。
【発明の効果】
【００３３】
本発明によれば、電源から負荷への給電が停止しているときに発光源が発光し、その光は集光部に導光されて２つの表示部（若しくは第１及び第２の表示部）の表示面から外部へ出射されるから、操作ハンドルの揺動する両端部に設けられた２つの表示部（若しくは第１及び第２の表示部）で同時に表示が行われることとなり、切換型の接点装置を用いる場合においても操作ハンドルの表示位置と操作方向とを一致させて操作性が向上するという効果がある。
【発明を実施するための最良の形態】
【００３４】
以下、本発明の技術思想を、ワイドハンドル形スイッチであり且つ接点装置が単極切換型の接点構成を有する３路スイッチ（タンブラスイッチ）に適用した実施形態について説明する。
【００３５】
（実施形態１）
図１〜図８を参照して本発明の実施形態１を詳細に説明する。
【００３６】
本実施形態の表示付きスイッチはスイッチ本体１とハンドルブロック２とで構成され、施工面に設けられる埋込孔（図示せず）にスイッチ本体１の後端部を埋め込む形でプレート１００により埋込配設される。なお、表示付きスイッチとプレート１００とで本実施形態のスイッチ装置が構成される。
【００３７】
プレート１００は、スイッチ本体１を保持して埋込孔の内部に配設される埋込ボックス（図示せず）に取り付けられるプレート枠１０１と、前方からプレート枠１０１を覆う化粧プレート１１０とで構成される。プレート枠１０１は合成樹脂材料により矩形枠状に形成され、中央に開口する取付窓１０３に前端部を挿入する形でスイッチ本体１を保持する。また化粧プレート１１０は合成樹脂材料により矩形枠状に形成され、中央に開口する窓孔１１１を通してスイッチ本体１の前面を露出している（図２参照）。化粧プレート１１０の背面には４つの係止片（図示せず）が後方へ突設されており、これら４つの係止片をプレート枠１０１の四隅に設けられた係止孔１０４に係止することでプレート枠１０１の前面に化粧プレート１１０が着脱自在に被着される。また、プレート枠１０１の取付窓１０３を挟んで対向する長手方向両端中央部には埋込ボックスに取り付けるためのボックスねじを挿通するねじ挿通孔１０５が前後方向に貫設されている。さらにねじ挿通孔１０５の両側に挟み金具（図示せず）が着脱自在に取り付けられる一対の孔１０６がそれぞれ前後方向に貫設されている。挟み金具は従来周知であって、一部が孔１０６に引っ掛けられた状態でねじ挿通孔１０５に挿通されたねじが螺合し、このねじを締め付けてプレート枠１０１との間で造営材を狭持することによってプレート枠１０１を造営材に固定するものである。
【００３８】
スイッチ本体１は、前面（図１における上面）が開口した直方体状の合成樹脂成形品のボディ１０と、矩形枠状に形成されボディ１０の前面側に結合される合成樹脂成形品のカバー２０とにより構成される器体を備える。ボディ１０の長手方向に沿った両外側面にはボディ１０の長手方向に離間して各一対の組立突起１１が突設され、カバー２０の後端縁からは組立舌片２１が後方（図１における下方）に延設され、組立舌片２１に設けた組立孔２１ａに組立突起１１が係合することによってボディ１０とカバー２０とが結合される。
【００３９】
ボディ１０には、ボディ１０の後壁に設けた電線挿入孔１２を通して器体に挿入される電線（図示せず）を接続する３個の端子装置３０Ａ，３０Ｂ，３０Ｃと、端子装置３０Ａと端子装置３０Ｂ，３０Ｃとの間の電路を開閉する接点装置４０とが収納される（図３参照）。一方、カバー２０の中央部の開口窓２２には合成樹脂成形品の反転ハンドル５０がカバー２０に対して揺動自在に枢支された形で装着され、この反転ハンドル５０の揺動に伴って接点装置４０が開閉される。反転ハンドル５０の前面側にはカバー２０の前面に重複する合成樹脂成形品の操作ハンドル６０（ハンドルブロック２）が着脱自在に結合され、操作ハンドル６０を操作部として揺動させることにより、反転ハンドル５０が揺動して接点装置４０が開閉されるようにしてある。
【００４０】
ボディ１０の内側面には、端子装置３０Ａ，３０Ｂ，３０Ｃおよび接点装置４０を位置決めするための保持リブ１３および保持溝１４がそれぞれ複数形成されている。端子装置３０Ａはボディ１０の長手方向の一端部内に配置され、端子装置３０Ｂ，３０Ｃはボディ１０の長手方向の他端部内に配置され、接点装置４０はボディ１０の長手方向の中央部内に配置される。
【００４１】
端子装置３０Ａは、導電性の金属板により形成された端子板３２と、２個の鎖錠ばね３３と、２個の鎖錠ばね３３に当接する合成樹脂成形品の解除釦３４とを備える。端子板３２は、主片３２ａおよび主片３２ａに対向する当接片３２ｂの前端縁間を連結片３２ｃで連続一体に連結することで略コ字状に形成され、連結片３２ｃをボディ１０の開口面に沿わせるようにしてボディ１０内に収納される。また鎖錠ばね３３は主片３２ａと当接片３２ｂとの間に収納される。端子板３２には当接片３２ｂの後端縁からボディ１０の長手方向の中央部に向かってボディ１０の内底面に沿う形で支持片３２ｄが延設され、支持片３２ｄの先端部にはへ字状に屈曲されて前方に突出する支点突部３２ｅが形成されている（図３参照）。
【００４２】
端子装置３０Ｂ，３０Ｃはそれぞれ端子板４５，４６を備え、各端子板４５，４６には、器体に設けた電線挿入孔１２を通して器体に導入された電線が接触する主片４５ａ，４６ａと、それぞれボディ１０に設けた保持リブ１３に当接する当接片４５ｂ，４６ｂと、主片４５ａ，４６ａと当接片４５ｂ，４６ｂとの間を連結する連結片４５ｃ，４６ｃと、連結片４５ｃ，４６ｃから連続一体に延長され先端部にそれぞれ固定接点４１ａ，４１ｂを設けた接点保持片４５ｄ，４６ｄとが設けられる。両端子装置３０Ｂ，３０Ｃの接点保持片４５ｄ，４６ｄの先端部が器体の中央部で互いに対向するように配置され、固定接点４１ａ，４１ｂ同士が器体の中央部で互いに対向する。
【００４３】
端子装置３０Ｂ，３０Ｃはボディ１０の長手方向における同じ側（図３における左側）に配置されており、各端子板４５，４６の主片４５ａ，４６ａと当接片４５ｂ，４６ｂとの間にはそれぞれ１個ずつの鎖錠ばね３３が収納され、さらに、両端子板４５，４６の鎖錠ばね３３の間に１つの解除釦３４が配置される。
【００４４】
鎖錠ばね３３は、帯状の板ばねの一端部をＳ字状に曲成して接触片３３ａを形成し、他端部をＪ字状に曲成して鎖錠片３３ｂを形成し、接触片３３ａと鎖錠片３３ｂとの間を接続片３３ｃにより連続一体に連結した形状に形成される。また、接触片３３ａおよび鎖錠片３３ｂは接続片３３ｃに対して厚み方向の同じ側に突出する。鎖錠ばね３３を端子板３２，４５，４６の主片３２ａ，４５ａ，４６ａと当接片３２ｂ，４５ｂ，４６ｂとの間に装着するに際しては、接続片３３ｃを当接片３２ｂ，４５ｂ，４６ｂに当接させる形で接触片３３ａおよび鎖錠片３３ｂを主片３２ａ，４５ａ，４６ａに対向させる。ここに、接触片３３ａおよび鎖錠片３３ｂの先端部は、先端側ほど接続片３３ｃから離れる向きに傾斜し、且つ互いに略平行になるように延長されている。また、接触片３３ａおよび鎖錠片３３ｂの先端部は、先端側ほど連結片３２ｃ，４５ｃ，４６ｃとの距離を小さくするように配置される。
【００４５】
上述した電線挿入孔１２は、端子板３２，４５，４６の主片３２ａ，４５ａ，４６ａと接触片３３ａおよび鎖錠片３３ｂとの間に対応する部位に形成され、電線挿入孔１２を通してスイッチ本体１の器体内に電線を挿入すると、電線の先端部が主片３２ａ，４５ａ，４６ａと接触片３３ａおよび鎖錠片３３ｂとの間に挟持され、電線が主片３２ａ，４５ａ，４６ａに接触して端子装置３０Ａ，３０Ｂ，３０Ｃと電線とが電気的に接続されるとともに、鎖錠片３３ｂの先端縁が電線に食い込むことによって電線が器体から抜けないように機械的に保持される。なお、ボディ１０の後壁には解除釦３４に対応する部位に操作孔１５が貫設されており、上述のようにして端子装置３０Ａ，３０Ｂ，３０Ｃに電線を接続した状態で操作孔１５に工具を挿入して解除釦３４を押圧すれば、解除釦３４に設けた押し片（図示せず）が鎖錠片３３ｂを押圧して電線から離れる向きに撓ませることにより、電線の機械的保持が解除されて電線を器体から引き抜くことが可能になる。
【００４６】
接点装置４０は、前方に開放されたコ字状に形成されて支点突部３２ｅの先端に後端部が当接するように配置された開閉素子４３を備えている。開閉素子４３は両脚片先端付近にそれぞれ可動接点４２ａ，４２ｂが外向きに設けられ、支点突部３２ｅの先端付近を支点として回動することで各固定接点４１ａ，４１ｂに各可動接点４２ａ，４２ｂが選択的に接触するようにしてある。つまり、固定接点４１ａに可動接点４２ａが接触している間は可動接点４２ｂは固定接点４１ｂから離れ、固定接点４１ｂに可動接点４２ｂが接触している間は可動接点４２ａは固定接点４１ａから離れる。開閉素子４３の両脚片間にはコイルばねからなる反転ばね４４の一端部が挿入され、反転ばね４４の他端部が反転ハンドル５０の背面側に設けた筒部５４の保持孔５４ａに挿入されることで開閉素子４３と反転ハンドル５０との間に反転ばね４４が圧縮状態で保持される。
【００４７】
反転ハンドル５０は、全体が矩形箱形の合成樹脂成型品からなり、長手方向に沿った両側面には前端部が先細りとなる形状の支点突起５１がそれぞれ側方へ突設されている。一方、カバー２０の長手方向の中央部であって幅方向（短手方向）の両側部には開口窓２２の周縁から前方に突出する一対の軸受突片２３が突設され、両軸受突片２３の対向面には反転ハンドル５０の支点突起５１が挿入される軸受凹所２４が形成される。軸受凹所２４は少なくとも前端部において支点突起５１を揺動可能に枢支する。反転ハンドル５０の前面には、後述する位置表示灯７１を実装した回路基板７０を収納するための収納凹所５２が設けられ、さらに反転ハンドル５０の長手方向の両端面にはハンドルブロック２を結合するための結合爪５３がそれぞれ突設される。
【００４８】
なお、カバー２０の長手方向に対向する両側面に各一対の取付爪２６が突設される。取付爪２６はプレート枠１０１に設けた取付孔１０２に係合することによってスイッチ本体１をプレート枠１０１に保持させる機能を有している。但し、カバー２０の一方の側面においては、一対の溝２０ａによって取付爪２６が突設された部位を弾性的に撓み可能としており、この部位を撓ませることで取付爪２６と取付孔１０２との係合を解除してスイッチ本体１をプレート枠１０１から取り外せるようにしてある。
【００４９】
反転ハンドル５０前面の収納凹所５２に収納される回路基板７０は、中央に円形の圧入孔７０ａが貫通した矩形平板状であって、長手方向の両端部に限流用の抵抗素子７２がそれぞれ実装され、ネオンランプからなる位置表示灯７１が前方から圧入孔７０ａと対向する形で実装される。回路基板７０には導電パターンが印刷されており、導電パターンを介して直列接続された位置表示灯７１並びに抵抗素子７２が導電性の金属板からなる一対の接触子４７により端子装置３０Ｂ，３０Ｃの端子板４５，４６間に接続される。接触子４７は幅細の帯状に形成され、一端部で回路基板７０の導電パターンに半田付けされるとともに回路基板７０に設けた固定溝７０ｂに圧入固定されている。収納凹所５２底面の中央には前方に向かって筒部５４が突出しており、この筒部５４を圧入孔７０ａに圧入することで収納凹所５２内に回路基板７０が固定されるようにしてある。ここで、筒部５４の先端には円筒形の位置表示灯７１を支持する支持凹部５４ｂが形成され、支持凹部５４ａに支持されることで反転ハンドル５０に対して位置表示灯７１が位置決めされる。また、収納凹所５２底面には回路基板７０に一端部が固定された接触子４７を挿通する挿通孔５５が設けられており、この挿通孔５５に挿通した接触子４７の先端部が端子板４５，４６の連結片４５ｃ，４６ｃに前方から弾接するようになっている（図５（ｂ）参照）。この種の３路スイッチは照明負荷を２箇所から点灯・消灯するような用途に用いられることが多く、各箇所にそれぞれ３路スイッチを配置して照明負荷の点灯・消灯をいずれの箇所においても操作可能とすることができる。したがって、両固定接点４１ａ，４１ｂの間に位置表示灯７１と抵抗素子７２との直列回路を挿入しておけば、照明負荷の消灯時にのみ位置表示灯７１を点灯させることができる。この種の回路の接続関係は周知であるから説明を省略する。
【００５０】
ところで、反転ハンドル５０の収納凹所５２は、合成樹脂成型品からなるランプカバー８０によって前方から閉塞される。このランプカバー８０は、図６に示すように背面が開放された矩形箱状の主部８１と、主部８１の両端部より前方へ突出し内部に抵抗素子７２が収められる一対の突部８２と、角筒状であって主部８１の中央部より前方へ突出し内部に位置表示灯７１が収められる保護部８３と、断面形状が位置表示灯７１の管壁に沿った曲面であって保護部８３の前端に設けられる遮光体８４とを備え、主部８１の長手方向両側面より突設された係止爪８５を反転ハンドル５０の両側面に設けられた係止部５６に係止することで反転ハンドル５０に固定される（図５（ｂ）参照）。また、両突部８２と対向する保護部８３の側面には矩形の透光窓８６がそれぞれ開口しており、保護部８３内に収められた位置表示灯７１が発する光が透光窓８６を通して外部に照射されるようになっている。尚、透光窓８６の前端縁（遮光体８４の端縁）からは外向きに突出する庇片８７が設けられている。
【００５１】
一方、カバー２０に設けられた一対の軸受突片２３には、ランプカバー８０の保護部８３の両側面に開口した透光窓８６に対向する形で帯板状の一対の遮光部２７が架設されている。そして、これら一対の遮光部２７の間に保護部８３の遮光体８４を含む前端部が挿通された状態で反転ハンドル５０がカバー２０に対して揺動自在に装着される。
【００５２】
ハンドルブロック２は、スイッチ本体１の前面よりも大型の矩形に形成された操作ハンドル６０と、操作ハンドル６０の背面側に結合されるプリズム９０とで構成される。操作ハンドル６０は、前面が前方に凸となる緩やかな曲面形状に形成された主部６１と、主部６１の長手方向に沿った両側縁より後方へ垂下された一対の側壁６２と、主部６１の四隅より後方へ突設された４つの結合脚６３とを備える。主部６１前面の長手方向に沿った両端部中央には、操作ハンドル６０の操作位置を表す円筒形の突起６１ａが突設されている。
【００５３】
プリズム９０は透明合成樹脂の成型品であって、操作ハンドル６０の長手方向に対向する両側面を塞ぐように配置されて位置表示灯７１の光を表示面を通して外部へ出射する２つの表示部９１と、一端側で表示部９１と連結され他端側に位置表示灯７１の光を入射する入射面９２ａを有した２つの集光部９２と、２つの集光部９２の入射面９２ａ同士を連結する弧状の連結部９３と、反転ハンドル５０に設けた結合爪５３に係合する係合爪９４ａが先端に設けられて各集光部９２より後方へ突設される合計６つの係合突片９４と、表示部９１の内側面における長手方向両端部に設けられ操作ハンドル６０の結合脚６３の先端に突設された爪６３ａが係止する係止片９５とを備える。そして、集光部９２並びに連結部９３を前方から覆うように２つの表示部９１の間に操作ハンドル６０が配置され、操作ハンドル６０の４つの結合脚６３の先端に突設された爪６３ａが各表示部９１の両端の係止片９５に係止することで操作ハンドル６０の背面側にプリズム９０が結合されてハンドルブロック２が構成される。
【００５４】
上述のように構成されるハンドルブロック２は、プリズム９０の２つの集光部９２よりそれぞれ後方へ突設された各３つの係合突片９４の何れか１つの先端に設けられた係合爪９４ａを反転ハンドル５０の結合爪５３に係合することで反転ハンドル５０の前面側に結合される。つまり、プレート枠１０１には３組の取付孔１０２が設けられており、最大で３個のスイッチ本体１を短幅方向に並べて取り付けることができるから（図２参照）、中央の取付孔１０２に取り付けられるスイッチ本体１に対しては中央の係合突片９４の係合爪９４ａを用い、両端の取付孔１０２に取り付けられるスイッチ本体１に対しては何れか一方の端の係合突片９４の係合爪９４ａを用いることでスイッチ本体１の短幅方向でハンドルブロック２の取付位置をずらすようにしている（図１参照）。このような構成とすれば、プレート枠１０１に対するスイッチ本体１の取付位置に応じて３種類のハンドルブロック２を用意する必要がなく、スイッチ本体１の取付位置にかかわらず共通のハンドルブロック２を用いることができて施工性が向上するという利点がある。ここで、プレート枠１０１の両端に位置するスイッチ本体１に取り付けられたハンドルブロック２においては、一端側の係合爪９４ａ（係合突片９４）のみが反転ハンドル５０との結合に使用され、他端側の係合爪９４ａ（係合突片９４）がプレート枠１０１の取付窓１０３の外へはみ出すことになるから、はみ出した係合爪９４ａ（係合突片９４）を逃がすための逃がし手段をプレート枠１０１に設ける必要がある。そのために本実施形態では、挟み金具を取り付けるためにプレート枠１０１に設けられた一対の孔１０６を逃がし手段に兼用し、プレート枠１０１の取付窓１０３からはみ出した係合爪９４ａ（係合突片９４）をそれぞれ孔１０６に挿入して逃がすことができ、しかも、逃がし手段を別途設ける場合に比較してプレート枠１０１の製造コストの上昇を抑えることができる。
【００５５】
而して、上述のように構成される本実施形態の動作を簡単に説明すれば、図３のように操作ハンドル６０（ハンドルブロック２）の右端部が左端部よりも後方（図の下方）に位置するときには可動接点４２ｂが固定接点４１ｂに接触し、この状態では反転ばね４４は中間部が両端部に対して左側に屈曲した状態になり、反転ばね４４によって可動接点４２ｂが固定接点４１ｂに押圧されて接点圧が付与される。一方、この状態から操作ハンドル６０の左端部を後方に押すと反転ハンドル５０が図中反時計回りに揺動するから、反転ばね４４は中間部が両端部に対して右側に屈曲した状態へ移行し、このとき開閉素子４３を図中時計回りに回動して可動接点４２ｂを固定接点４１ｂから引き離すとともに可動接点４２ａを固定接点４１ａに接触させる。そして、可動接点４２ａが固定接点４１ａに接触した状態では操作ハンドル６０の左端部が右端部よりも後方に位置することになる。すなわち、操作ハンドル６０の両端部のうちで前方に位置する端部が後方へ押操作される毎に接点装置４０では固定接点４１ａと可動接点４２ａ並びに固定接点４１ｂと可動接点４２ｂの接触・開離が択一的に切り換えられることになる。
【００５６】
ところで、スイッチ本体１とハンドルブロック２とが結合された状態では、位置表示灯７１とプリズム９０の集光部９２との間の光路上において、カバー２０の軸受突片２３間に架設されている一対の遮光部２７が操作ハンドル６０（ハンドルブロック２）の揺動支点を挟んで対向する位置にそれぞれ配置されるとともに、ランプカバー８０に設けられた遮光体８４が、これら一対の遮光部２７とスイッチ本体１の前後方向（図３における上下方向）において対向する位置に配置されることになる。したがって、操作ハンドル６０の両端部が押操作に伴って前方から後方又は後方から前方へそれぞれ移動し、後方へ移動した端部においては、操作ハンドル６０の揺動支点（反転ハンドル５０の支点突起５１）に対して当該端部側に設けられている一方の遮光部２７に遮光体８４の端部（庇片８７）がオーバラップ（あるいは当接、以下同じ）して位置表示灯７１とプリズム９０の集光部９２との間の光路を遮光し、前方へ移動した端部においては、操作ハンドル６０の揺動支点に対して当該端部側に設けられている他方の遮光部２７に遮光体８４の端部がオーバラップせず、位置表示灯７１とプリズム９０の集光部９２との間の光路を遮光しない。例えば、図３のように操作ハンドル６０の左側の端部が前方にあり且つ右側の端部が後方にある状態では、右側の遮光部２７に遮光体８４の右側の端部（庇片８７）がオーバラップして透光窓８６がほぼ塞がれるため、右側の集光部９２と位置表示灯７１との間の光路が遮光部２７と遮光体８４で遮光されて右側の表示部９１の表示面から位置表示灯７１の光が外部へ出射されることはないが、左側の遮光部２７には遮光体８４の左側の端部がオーバラップせずに透光窓８６が塞がれることがないため、左側の集光部９２と位置表示灯７１との間の光路は遮光部２７および遮光体８４で遮光されず、左側の表示部９１の表示面から位置表示灯７１の光が外部へ出射される。尚、詳しい説明は省略するが、図３とは逆に操作ハンドル６０の右側の端部が前方にあり且つ左側の端部が後方にある状態でも前方にある右側の表示部９１のみから位置表示灯７１の光が出射され、後方にある左側の表示部９１からは位置表示灯７１の光が出射されないことは自明である。
【００５７】
上述のように本実施形態においては、次に操作される側の操作ハンドル６０の端部に設けられている表示部９１の表示面のみから位置表示灯７１の光が出射されるため、操作ハンドル６０の表示位置と操作方向とを完全に一致させることができ、従来例に比較して操作性の向上が図れるものである。尚、図９に示すようにカバー２０の軸受突片２３間に遮光部２７を架設しない構成とした場合でも、位置表示灯７１の光が２つの表示部９１の表示面から外部へ出射され、操作ハンドル６０の両端部に設けられた２つの表示部９１で同時に表示が行われることとなり、従来例に比較して操作ハンドル６０の表示位置と操作方向とを一致させて操作性の向上が図れる。
【００５８】
また本実施形態では、前面側に操作ハンドル６０を取り付ける取付部（係止片９５）が設けられるとともに背面側に反転ハンドル５０と結合する結合部（係合爪９４ａ）が設けられており、プリズム９０に操作ハンドル６０を取り付けた後にプリズム９０を反転ハンドル５０に結合することが可能であるから組立作業が容易になるという利点がある。さらに、反転ハンドル５０の前面側に位置表示灯７１が露設され、ランプカバー８０の遮光体８４が位置表示灯７１を前方から覆う傘状に形成されているため、位置表示灯７１をプリズム９０の近傍に配置することによって位置表示灯７１の光を効率よく集光部９２に集めることができて表示部９１の明るさが向上するという利点もある。ここで、本実施形態では２つの表示部９１が操作ハンドル６０の端部と略同一寸法に形成されているので表示部９１が視認しやすくなっている。なお、透明合成樹脂材料に拡散材を混入して表示部９１若しくは表示部９１を含むプリズム９０全体に拡散性を持たせれば、光の出射範囲が拡がって表示部９１が視認しやすくなる。
【００５９】
尚、本実施形態ではランプカバー８０を合成樹脂成型品としているが、ランプカバー８０全体若しくは保護部８３や遮光体８４を光沢を持った金属材料で形成すれば、位置表示灯７１の光を遮光体８４や保護部８３の内面で反射して効率よく集光部９２に集めることができ、表示部９１の明るさを向上することができる。但し、ランプカバー８０全体若しくは一部を金属製としたときには位置表示灯７１や抵抗素子７２等との絶縁を行う必要が生じてしまうので、絶縁性を有した合成樹脂成型品からなるランプカバー８０の遮光体８４や保護部８３の内面に、位置表示灯７１の光を反射するシート材を貼着してなる反射シートを設けるか、あるいは反射率の高いコーティング材料（淡色系のつや有り染料や金属系の材料）をコーティングしてなる反射層を設ければ、位置表示灯７１等との絶縁を行うことなく表示部９１の明るさを向上することができる。
【００６０】
また本実施形態では、プレート枠１０１に３個のスイッチ本体１を取り付ける場合について例示したが、図１０に示すようにプレート枠１０１の両端に２個のスイッチ本体１を取り付ける場合や、図１１に示すようにプレート枠１０１の中央に１個のスイッチ本体１を取り付ける場合においては、スイッチ本体１の短幅方向に沿った幅寸法をそれぞれ１．５倍および３倍に拡大した操作ハンドル６０並びにプリズム９０からなるハンドルブロック２と組み合わせればよい。
【００６１】
（実施形態２）
図１２に示すように、本実施形態の基本構成は実施形態１と共通であり、共通の構成要素には同一の符号を付して適宜図示並びに説明を省略する。なお、形状が多少異なっていても機能が共通であれば同一の符号を付している。
【００６２】
実施形態１ではランプカバー８０と遮光体８４が一体に形成されていたが、本実施形態ではランプカバー８０と遮光体８４とが別体に形成され、遮光体８４がカバー２０の揺動方向に沿って回動自在に設けられている。
【００６３】
ランプカバー８０は、図１３に示すように背面が開放された矩形箱状であって筒部５４を挿通する挿通孔８１ａが中央に開口した主部８１と、主部８１の両端部より前方へ突出し内部に抵抗素子７２が収められる一対の突部８２とを備え、筒部５４を主部８１の挿通孔８１ａに挿通した状態で主部８１の長手方向両側面より突設された係止爪８５を反転ハンドル５０の両側面に設けられた係止部５６に係止することで反転ハンドル５０に固定される（図１２参照）。
【００６４】
遮光体８４は、図１４及び図１５に示すように断面形状が位置表示灯７１の管壁に沿った曲面となる半円筒形の遮光部８４ａと、遮光部８４ａの軸方向両端部より軸方向に沿って外側へ突出する三角形状の支持部８４ｂとが合成樹脂成型品として一体に形成されている。遮光部８４ａの軸方向に沿った両端縁には矩形の凹部８４ｃと凹部８４ｃの周囲から外向きに突出する庇片８４ｄとがそれぞれ設けられている。また支持部８４ｂには、遮光部８４ａの軸方向に中心軸が一致した円筒形であって軸方向に沿って一部が開口した軸受孔８４ｅと、平面視矩形であって前後方向（図１４における上下方向）に貫通した連結孔８４ｆとがそれぞれ設けられている。
【００６５】
一方、図１６に示すようにカバー２０の一対の軸受突片２３には、互いの対向面における軸受凹所２４よりも先端側の部位に円筒形の軸突起２３ａがそれぞれ突設されている。従って、軸受突片２３の２つの軸突起２３ａをそれぞれ軸受孔８４ｅに嵌めることにより、遮光体８４が軸突起２３ａを支点としてカバー２０に対して反転ハンドル５０の揺動方向と同じ方向に回動自在となる。また反転ハンドル５０は、図１７に示すように一対の支点突起５１近傍の前端縁より前方（図１７における上方）へ突出する固定リブ５７がそれぞれ突設されている。すなわち、遮光体８４の支持部８４ｂに設けられた連結孔８４ｆに固定リブ５７の先端部を挿通することで遮光体８４が反転ハンドル５０と連結されるのである。
【００６６】
而して、上述のように構成される本実施形態の動作を簡単に説明する。例えば、図１２のように操作ハンドル６０の左側の端部が前方（図１２における上方）にあり且つ右側の端部が後方（図１２における下方）にある状態では、右側の遮光部２７に遮光体８４の右側の端部（庇片８７）がオーバラップするため、右側の集光部９２と位置表示灯７１との間の光路が遮光部２７と遮光体８４で遮光されて右側の表示部９１の表示面から位置表示灯７１の光が外部へ出射されることはないが、左側の遮光部２７には遮光体８４の左側の端部がオーバラップしないため、左側の集光部９２と位置表示灯７１との間の光路は遮光部２７および遮光体８４で遮光されず、左側の表示部９１の表示面から位置表示灯７１の光が外部へ出射される。同様に、図１２とは逆に操作ハンドル６０の右側の端部が前方にあり且つ左側の端部が後方にある状態でも前方にある右側の表示部９１のみから位置表示灯７１の光が出射され、後方にある左側の表示部９１からは位置表示灯７１の光が出射されない。
【００６７】
ここで、実施形態１では遮光体８４がランプカバー８０と一体に形成されているから、遮光体８４の回動支点は操作ハンドル６０の揺動支点（反転ハンドル５０の支点突起５１）と一致しているが、本実施形態では遮光体８４の回動支点がカバー２０の軸受突片２３に設けられた軸突起２３ａとなり、しかも、反転ハンドル５０の固定リブ５７が連結孔８４ｆの内径よりも若干細く形成されているため、遮光体８４の回動角度が反転ハンドル５０の揺動角度よりも大きくなる。その結果、実施形態１のように遮光体８４が反転ハンドル５０に対して回動しない場合に比較して遮光体８４と遮光部２７とがオーバラップしない状態における両者間の隙間（光路）が大きくなるために表示部９１の明るさが増大でき、また、遮光体８４と遮光部２７とのオーバラップ量が大きくなるために表示部９１への光の漏れを抑えることができる。
【００６８】
（実施形態３）
本実施形態はハンドルブロック２に特徴があり、図１８及び図１９に示すようにその他の構成は実施形態２と共通である。よって、実施形態２と共通の構成要素には同一の符号を付して適宜図示並びに説明を省略する。なお、形状が多少異なっていても機能が共通であれば同一の符号を付している。
【００６９】
本実施形態におけるハンドルブロック２は、平面視矩形であって後方（図１８における下方）に開口した扁平な箱状に形成された操作ハンドル６０と、表示部９１並びに集光部９２を有する２つのプリズム９０，９０とで構成される。２つのプリズム９０は同一のものであって、図２０に示すように透明合成樹脂材料によって表示部９１と集光部９２が一体に形成されている。集光部９２は扁平な矩形状であって、一方の端部から突出する固定片９２ａによって操作ハンドル６０の内底面に固定される。すなわち、固定片９２ａには一対の孔が厚み方向に貫設されており、操作ハンドル６０の内底面に突設された突起６４をそれぞれ孔に挿通して先端部をかしめることで固定片９２ａが操作ハンドル６０に固定される（図２１参照）。このとき、集光部９２の内側の端面（入射面）が遮光体８４と遮光部２７の間の隙間（光路）に対向する（図１９参照）。また集光部９２の固定片９２ａが突出する側の端部においては、背面側に傾斜面９２ｂが形成され、この傾斜面９２ｂと対向する前面側に表示部９１が設けられている。表示部９１は平面視長円形の突条からなり、その先端部の断面形状が円弧状に形成されている。操作ハンドル６０の両端部には長円形の長孔６７が前後方向に貫設されており、固定片９２ａを操作ハンドル６０に固定する際に表示部９１が長孔６７に挿通され、表示部９１の先端部分が操作ハンドル６０の前面よりわずかに突出することになる（図１９参照）。
【００７０】
図２１に示すように操作ハンドル６０の内底面には、反転ハンドル５０の結合爪５３に係合する係合爪６８ａが先端に設けられた４つの係合突片６８が後方へ突設されており、短幅方向で隣り合う２つの係合突片６８の間にそれぞれプリズム９０が配置されている。
【００７１】
而して、実施形態２と同様に遮光体８４と遮光部２７との間の隙間から出た位置表示灯７１の光がプリズム９０の集光部９２に入射面から入射し、傾斜面９２ｂで屈折した光が表示部９１を通して操作ハンドル６０の前方へのみ出射されることになるから、前方だけでなく側方へも出射される実施形態１，２に比較して前方から見た表示部９１の明るさが向上するという利点がある。なお、本実施形態ではハンドルブロック２を反転ハンドル５０に結合するための係合突片６８を操作ハンドル６０に設けているが、実施形態１や２と同様にプリズム９０，９０に係合突片を設ければ、操作ハンドル６０に設けられた係合突片６８を避けるためのスペースが不要になるため、プリズム９０の形状の自由度が向上するという利点がある。
【図面の簡単な説明】
【００７２】
【図１】実施形態１の分解斜視図である。
【図２】同上を示し、（ａ）は正面図、（ｂ）は左側面図、（ｃ）は右側面図、（ｄ）は下面図である。
【図３】同上の断面図である。
【図４】同上におけるスイッチ本体を示し、（ａ）は正面図、（ｂ）は下面図、（ｃ）は断面図である。
【図５】（ａ）（ｂ）は同上におけるスイッチ本体の断面図である。
【図６】同上におけるランプカバーを示し、（ａ）は正面図、（ｂ）は下面図、（ｃ）は背面図、（ｄ）は右断面図、（ｅ）は下断面図である。
【図７】同上における操作ハンドルを示し、（ａ）は正面図、（ｂ）は上面図、（ｃ）は左側面図、（ｄ）は下断面図、（ｅ）は右側面図、（ｆ）は背面図である。
【図８】同上におけるプリズムを示し、（ａ）は正面図、（ｂ）は（ａ）におけるＸ−Ｘ線断面矢視図、（ｃ）は（ａ）におけるＹ−Ｙ線断面矢視図、（ｄ）は背面図、（ｅ）は下面図、（ｆ）は（ａ）におけるＺ−Ｚ線断面矢視図である。
【図９】同上における表示付きスイッチの他の構成を示す断面図である。
【図１０】同上における表示付きスイッチをプレートに２個取り付けた状態を示し、（ａ）は正面図、（ｂ）は右側面図である。
【図１１】同上における表示付きスイッチをプレートに１個取り付けた状態を示し、（ａ）は正面図、（ｂ）は右側面図である。
【図１２】実施形態２の断面図である。
【図１３】同上におけるランプカバーを示し、（ａ）は正面図、（ｂ）は下面図、（ｃ）は右側面図、（ｄ）は背面図である。
【図１４】同上における遮光体の斜視図である。
【図１５】同上における遮光体を示し、（ａ）は正面図、（ｂ）は右側面図、（ｃ）は下面図である。
【図１６】同上におけるカバーの斜視図である。
【図１７】同上における反転ハンドルの斜視図である。
【図１８】実施形態３の分解斜視図である。
【図１９】同上の断面図である。
【図２０】同上におけるハンドルブロックの分解斜視図である。
【図２１】同上におけるハンドルブロックの後方からみた斜視図である。
【図２２】従来例の正面図である。
【符号の説明】
【００７３】
１  スイッチ本体
２  ハンドルブロック
２７  遮光部
３０Ａ，３０Ｂ，３０Ｃ  端子装置
４０  接点装置
４１ａ，４１ｂ  固定接点
４２ａ，４２ｂ  可動接点
４３  開閉素子
５０  反転ハンドル
６０  操作ハンドル
７０  回路基板
７１  位置表示灯
８０  ランプカバー
８４  遮光体
９０  プリズム
９１  表示部
９２  集光部
９３  連結部
【図１】
2006202716.tif 000003
【図２】
2006202716.tif 000004
【図３】
2006202716.tif 000005
【図４】
2006202716.tif 000006
【図５】
2006202716.tif 000007
【図６】
2006202716.tif 000008
【図７】
2006202716.tif 000009
【図８】
2006202716.tif 000010
【図９】
2006202716.tif 000011
【図１０】
2006202716.tif 000012
【図１１】
2006202716.tif 000013
【図１２】
2006202716.tif 000014
【図１３】
2006202716.tif 000015
【図１４】
2006202716.tif 000016
【図１５】
2006202716.tif 000017
【図１６】
2006202716.tif 000018
【図１７】
2006202716.tif 000019
【図１８】
2006202716.tif 000020
【図１９】
2006202716.tif 000021
【図２０】
2006202716.tif 000022
【図２１】
2006202716.tif 000023
【図２２】
2006202716.tif 000024